(57)【要約】      （修正有）【課題】長時間起立する使用者に適し、使用者の足の負担を和らげ、長時間の起立による疲労感を軽減し、さらに、足で転がしてマッサージすることにより使用者の体の負担をより和らげることのできるフロアマットを提供する。【解決手段】発泡体１１と、回転部品１２と、からなり、そのうち、発泡体１１は、発泡成型の板状体であるとともに、発泡体には収容溝が設けられ、下方の左右両側には複数の球面ツボ押し部１１２が備えられる。回転部品１２は、その収容溝に配置されることで、使用者は、選択的に例えば足底に転がしてマッサージし、足底の筋膜を押圧することにより、その体の負担をさらに和らげる効果を達成する。【選択図】図１
0003219074.tif 000002
【実用新案登録請求の範囲】
【請求項１】
発泡体と、回転部品と、からなるフロアマットであって、
前記発泡体は、発泡成型の板状体であるとともに、収容溝を備え、
前記回転部品は、前記発泡体の前記収容溝の中に配置されることで、使用者が転がしてマッサージするのに用いられる
ことを特徴とする、フロアマット。
【請求項２】
前記回転部品は、台座と、ローリングボールと、上蓋を備え、
前記台座は、ボール溝を備え、
前記ローリングボールは、前記ボール溝に配置され、
前記上蓋は、前記ボール溝に対応する開孔部を備えることで、前記台座に蓋をするとともに、前記ローリングボールが前記開孔部から外側に露出することで、前記ボール溝における前記ローリングボールの転がりを制限する
ことを特徴とする、請求項１に記載のフロアマット。
【請求項３】
前記台座の前記ボール溝と、前記ボール溝に配置される前記ローリングボールと、前記上蓋に対応して設けられる前記開孔部は、すべて複数個である
ことを特徴とする、請求項２に記載のフロアマット。
【請求項４】
前記ローリングボールは、金属球である
ことを特徴とする、請求項２に記載のフロアマット。
【請求項５】
前記回転部品は、台座と、ローラーと、上蓋を備え、
前記台座には、２つの支柱が設けられ、各支柱の上方には、下向きアーチ状溝がそれぞれ備えられ、
前記ローラーの両端には、ローラー軸がそれぞれ備えられ、前記２つのローラー軸は、前記２つの支柱の前記下向きアーチ状溝にそれぞれ配置され、
前記上蓋は、前記ローラーに対応する開孔部と、前記２つの下向きアーチ状溝にそれぞれ対応する２つの上向きアーチ状溝を備えることで、前記台座に蓋をするとともに、前記ローラーが前記開孔部から外側に露出することで、前記開孔部における前記ローラーの転がりが制御される
ことを特徴とする、請求項１に記載のフロアマット。
【請求項６】
前記ローラーは、両端が太く中央が細くなった滑らかな軸棒である
ことを特徴とする、請求項５に記載のフロアマット。
【請求項７】
前記ローラーは、表面に立体の波線模様を備える大ローラーである
ことを特徴とする、請求項５に記載のフロアマット。
【請求項８】
前記ローラーは、表面に立体の波線模様を備える横に並ぶ２つの小ローラーである
ことを特徴とする、請求項５に記載のフロアマット。
【請求項９】
前記発泡体は、上部が幅広で下部が狭く、上部が分厚く下部が薄い板状体であり、
前記収容溝は、上方の中央の位置に設けられ、下方の左右両側には、複数の球面ツボ押し部が備えられ、表面には、前記収容溝と前記複数の球面ツボ押し部を避けて、複数の幅広で平ら且つ緩やかな波線状横ラインが順に設けられる
ことを特徴とする、請求項１に記載のフロアマット。
【考案の詳細な説明】
【技術分野】
【０００１】
本考案はフロアマットに関し、特に長時間の起立に適した発泡フロアマットに関する。
【背景技術】
【０００２】
社会文明の進化に伴い、人類の生活方式は、ますます緊張感を増しているとともに忙しくなっており、生活のペースもまた非常に速くなっている。大多数の人の仕事内容は、以前に比べ労働面ではすでに大幅に改善されているが、生活のペースが速いことにより、心身の疲れは以前にも増して高まっており、疲れを和らげる必要がさらに高まっている。
【０００３】
これまでに、デパート、スーパーマーケット、ガソリンスタンド、実験室または厨房等の長時間立ち仕事をする従業員、さらには立ち仕事の多い事務職員向けに、その長時間の起立による身体的疲労を和らげるため、前記等の従業員が立つのに適しており、その足の負担を軽減するフロアマット商品が時運に応じて現れてきた。従来の仕事場用のフロアマットは、足の負担を軽減することができ、足の緊張状態を和らげることができるが、仕事の効率をさらに向上させるために、まだ改善の余地がある。
【考案の概要】
【考案が解決しようとする課題】
【０００４】
本考案は、使用者の足の負担を和らげることができるだけでなく、長時間の起立による疲労感を軽減し、さらに、転がしてマッサージすることにより使用者の体の負担をより和らげることのできる発泡フロアマットを提供することを目的とする。
【課題を解決するための手段】
【０００５】
上述の目的を達成するため、本考案は、発泡体と、回転部品と、からなるフロアマットを提供する。そのうち、発泡体は、発泡成型の板状体であるとともに、収容溝を備え、回転部品は発泡体の収容溝に配置され、使用者が選択的に、例えば足底に転がしてマッサージするのに用いられる。足底の筋膜を押圧することにより、その体の負担を和らげる効果が達成される。
【０００６】
実施例において、このフロアマットの回転部品は、台座と、例えば金属性またはプラスチック製のローリングボールと、上蓋を備える。そのうち、台座はボール溝を備え、ローリングボールは、台座のボール溝上に配置される。上蓋は、台座のボール溝に対応する開孔部を備えることで、上蓋で台座に蓋をすることができるとともに、ローリングボールが上蓋の開孔部から外側に露出するようにすることで、台座のボール溝におけるローリングボールの転がりを制御することができる。
【０００７】
実施例において、このフロアマットの回転部品における台座ボール溝、ボール溝上に配置されるローリングボール、上蓋に対応して設けられる開孔部等は、すべて複数であることにより、同時に複数のツボを刺激する効果が達成される。
【０００８】
実施例において、このフロアマットの回転部品は、台座と、例えば金属性またはプラスチック製のローラーと、上蓋を備える。そのうち、台座には２つの支柱が設けられ、各支柱の上方には、下向きアーチ状溝がそれぞれ備えられ、ローラーの両端には、ローラー軸がそれぞれ備えられる。ローラー軸は、台座の２つの支柱における下向きアーチ状溝にそれぞれ配置され、上蓋は、ローラーに対応する開孔部と、２つの下向きアーチ状溝にそれぞれ対応する２つの上向きアーチ状溝を備えることで、上蓋が台座において蓋をすることができるとともに、ローラーが上蓋の開孔部から外側に露出するようにすることで、上蓋の開孔部におけるローラーの転がりを制御することができる。
【０００９】
実施例において、このフロアマットの回転部品のローラーは、両端が太く中央が細くなった滑らかな軸棒であり、表面に立体の波線模様を備える大ローラーまたは横に並ぶ２つの小ローラーを備えることで、異なる使用者の必要に適応する。
【００１０】
実施例において、このフロアマットの発泡体は、上部が幅広で下部が狭く、上部が分厚く下部が薄い板状体であり、その収容溝は、上方の中央の位置に設けられ、下方の左右両側には複数の球面ツボ押し部が備えられる。表面には、収容溝と球面ツボ押し部を避けて、複数の幅広で平ら且つ緩やかな波線状横ラインが順に設けられることで、使用者の足底の触感をさらに良くする。
【考案の効果】
【００１１】
要約すると、本考案が提供するフロアマットは、長時間起立する使用者に適した発泡体を備えるだけでなく、使用者の足の負担を和らげ、長時間の起立による疲労感を軽減し、さらに、使用者が足で転がしマッサージすることができることで、さらに、その体の負担を和らげる非常に大きな効果を備える。
【図面の簡単な説明】
【００１２】
【図１】本考案の実施例１に基づくフロアマットの斜視図である。
【図２】図１のフロアマットの一部を分解した斜視図である。
【図３】図２の回転部品の分解斜視図である。
【図４】本考案の実施例２に基づくフロアマットの斜視図である。
【図５】図４のフロアマットの一部を分解した斜視図である。
【図６】図５の回転部品の分解斜視図である。
【図７】本考案の実施例３に基づくフロアマットの斜視図である。
【図８】図７のフロアマットの一部を分解した斜視図である。
【図９】図８の回転部品の分解斜視図である。
【図１０】本考案の実施例４に基づくフロアマットの斜視図である。
【図１１】図１０のフロアマットの一部を分解した斜視図である。
【図１２】図１１の回転部品の分解斜視図である。
【図１３】本考案の実施例５に基づくフロアマットの斜視図である。
【図１４】図１３のフロアマットの一部を分解した斜視図である。
【図１５】図１４の回転部品の分解斜視図である。
【図１６】本考案の実施例６に基づくフロアマットの斜視図である。
【図１７】図１６のフロアマットの一部を分解した斜視図である。
【図１８】図１７の回転部品の分解斜視図である。
【考案を実施するための形態】
【００１３】
（実施例１）
参照する図１から図３は、本考案の実施例１に基づくフロアマットの斜視図及びその分解斜視図である。図において、このフロアマット１０は、発泡体１１と、回転部品１２と、からなる。そのうち、発泡体１１は、発泡成型の板状体であり、その上方の幅は下方の幅よりやや狭く、厚みは下方に比べてやや分厚いことで、長時間起立する使用者に快適さを提供する。発泡体１１上方の中央の位置には、収容溝１１１が設けられ、下方の左右両側には、複数の球面ツボ押し部１１２が備えられる。発泡体１１の上方の左右両側以外の表面には、収容溝１１１と球面ツボ押し部（ｐｒｅｓｓｕｒｅ  ｐｏｉｎｔ）１１２を避けて、複数の幅広で平ら且つ緩やかな波線状横ライン１１３が順に設けられることで、使用者の足底の触感をさらに良くする。
【００１４】
図に示す通り、回転部品１２は、発泡体１１の収容溝１１１の中に配置され、使用者が選択的に、例えば足底に転がしてマッサージするのに用いられ、足底の筋膜を押圧することにより、その体の負担を和らげる効果が達成される。
【００１５】
図３において、回転部品１２は、台座１２１と、例えば金属性またはプラスチック製のローリングボール１２２と、上蓋１２３を備える。そのうち、台座１２１はボール溝１２１１を備え、ローリングボール１２２は、台座１２１のボール溝１２１１に配置され、上蓋１２３は、台座１２１のボール溝１２１１に対応する開孔部１２３１を備えることで、上蓋１２３は、台座１２１において蓋をすることができるとともに、ローリングボール１２２が上蓋１２３の開孔部１２３１から外側に露出するようにすることで、台座１２１のボール溝１２１１におけるローリングボール１２２の転がりを制御することができる。上蓋１２３と台座１２１の連結方法は、ねじ、締結具、ガイドレール、接着剤、型内発泡結合、または締りばめ等方法から選択して完成させることができる。
【００１６】
（実施例２）
参照する図４から図６は、本考案の実施例２に基づくフロアマットの斜視図及びその分解斜視図である。図において、このフロアマット２０は、発泡体２１と、発泡体２１の収容溝２１１に配置される回転部品２２と、からなる。そのうち、発泡体２１も発泡成型の板状体であり、その構造と型式はどちらも、実施例１の発泡体１１と類似しているため、再び贅言することはしない。
【００１７】
図６において、回転部品２２は、台座２２１と、例えば金属性またはプラスチック製のローリングボール２２２と、上蓋２２３を備える。実施例１と異なる点として、台座２２１に設けられるボール溝２２１１と、台座２２１のボール溝２２１１に配置されるローリングボール２２２と、台座２２１のボール溝２２１１に設けられる上蓋２２３に対応する開孔部２２３１の数は、すべて２つずつである。さらに、上蓋２２３と台座２２１の連結方法は、ねじ、締結具、ガイドレール、接着剤、型内発泡結合、または締りばめ等の方法から選択して完成させることができる。
【００１８】
（実施例３）
参照する図７から図９は、本考案の実施例３に基づくフロアマットの斜視図及びその分解斜視図である。図において、このフロアマット３０は、発泡体３１と、発泡体３１の収容溝３１１の中に配置される回転部品３２と、からなる。そのうち、発泡体３１も発泡成型の板状体であり、その構造と型式のどちらも、実施例１の発泡体１１と類似しているため、再び贅言することはしない。
【００１９】
図９において、回転部品３２は、台座３２１と、例えば金属性またはプラスチック製のローリングボール３２２と、上蓋３２３を備える。実施例１と異なる点として、台座３２１に設けられるボール溝３２１１と、台座３２１のボール溝３２１１に配置されるローリングボール３２２と、台座３２１のボール溝３２１１に設けられる上蓋３２３に対応する開孔部３２３１の数は、すべて７個である。さらに、上蓋３２３と台座３２１の連結方法は、ねじ、締結具、ガイドレール、接着剤、型内発泡結合、または締りばめ等の方法から選択して完成させることができる。
【００２０】
（実施例４）
参照する図１０から図１２は、本考案の実施例４に基づくフロアマットの斜視図及びその分解斜視図である。図において、このフロアマット４０は、発泡体４１と、発泡体４１の収容溝４１１の中に配置される回転部品４２と、からなる。そのうち、発泡体４１も発泡成型の板状体であり、その構造と型式のどちらも、実施例１の発泡体１１と類似しているため、再び贅言することはしない。
【００２１】
図１２において、回転部品４２は、台座４２１と、例えば金属性またはプラスチック製のローラー４２２と、上蓋４２３を備える。そのうち、台座４２１には２つの支柱４２１１が設けられ、各支柱４２１１の上方には、下向きアーチ状溝４２１１１がそれぞれ備えられる。ローラー４２２は、両端が太く中央が細くなった滑らかな軸棒であり、その両端には、ローラー軸４２２１（左側は未図示）がそれぞれ備えられ、ローラー軸４２２１は、台座４２１における２つの支柱４２１１の下向きアーチ状溝４２１１１にそれぞれ配置される。上蓋４２３は、ローラー４２２に対応する開孔部４２３１と、２つの下向きアーチ状溝４２１１１にそれぞれ対応する２つの上向きアーチ状溝４２３２（右側は未図示）を備え、上蓋４２３が台座４２１において蓋をすることができるとともに、ローラー４２２が上蓋４２３の開孔部４２３１から外側に露出することで、上蓋４２３の開孔部４２３１におけるローラー４２２の転がりを制御することができる。上蓋４２３と台座４２１の連結方法は、ねじ、締結具、ガイドレール、接着剤、型内発泡結合、または締りばめ等の方法から選択して完成させることができる。
【００２２】
（実施例５）
参照する図１３から図１５は、本考案の実施例５に基づくフロアマットの斜視図及びその分解斜視図である。図において、このフロアマット５０は、発泡体５１と、発泡体５１の収容溝５１１の中に配置される回転部品５２と、からなる。そのうち、発泡体５１も発泡成型の板状体であり、その構造と型式のどちらも実施例１の発泡体１１と類似しているため、再び贅言することはしない。
【００２３】
図１５において、回転部品５２は、台座５２１と、例えば金属性またはプラスチック製のローラー５２２と、上蓋５２３を備える。そのうち、台座５２１上に配置される２つの支柱５２１１と、支柱５２１１上方の下向きアーチ状溝５２１１１と、上蓋５２３の開孔部５２３１と、上向きアーチ状溝５２３２（右側は未図示）はどれも、ローラー５２２の異なる設計に応じて、対応して修正されている。上蓋５２３と台座５２１の連結方法も同様に、ねじ、締結具、ガイドレール、接着剤、型内発泡結合、または締りばめ等の方法から選択して完成させることができる。実施例４との最大の相違点として、ローラー５２２には、表面に立体の波線模様を備える大ローラーが採用されているとともに、ローラー５２２の両端に設けられるローラー軸５２２１は、ローラー５２２の中心を突き抜ける単一のローラー軸からなる。
【００２４】
（実施例６）
参照する図１６から図１８は、本考案の実施例６に基づくフロアマットの斜視図及びその分解斜視図である。図において、このフロアマット６０は、発泡体６１と、発泡体６１の収容溝６１１の中に配置される回転部品６２と、からなる。そのうち、発泡体６１も発泡成型の板状体であり、その構造と型式のどちらも実施例１の発泡体１１と類似しているため、再び贅言することはしない。
【００２５】
図１８において、回転部品６２は、台座６２１と、例えば金属性またはプラスチック製のローラー６２２と、上蓋６２３を備える。そのうち、台座６２１上に配置される２つの支柱６２１１と、支柱６２１１の上方の下向きアーチ状溝６２１１１と、上蓋６２３の開孔部６２３１と、上向きアーチ状溝６２３２（右側は未図示）はどれも、ローラー６２２の異なる設計に応じて、対応して修正されている。上蓋６２３と台座６２１の連結方法も同様に、ねじ、締結具、ガイドレール、接着剤、型内発泡結合、または締りばめ等の方法から選択して完成させることができる。実施例４との最大の相違点として、ローラー６２２には、表面に立体の波線模様を備えるとともに互いに横に並ぶ２つの小ローラーが採用されており、ローラー６２２の両端に設けられるローラー軸６２２１は、２つの小ローラー６２２の中心を突き抜ける単一のローラー軸からなる。
【符号の説明】
【００２６】
１０、２０、３０、４０、５０、６０  フロアマット
１１、２１、３１、４１、５１、６１  発泡体
１１１、２１１、３１１、４１１、５１１、６１１  収容溝
１１２  球面ツボ押し部
１１３  波線状横ライン
１２、２２、３２、４２、５２、６２  回転部品
１２１、２２１、３２１、４２１、５２１、６２１  台座
１２１１、２２１１、３２１１  ボール溝
１２２、２２２、３２２  ローリングボール
１２３、２２３、３２３、４２３、５２３、６２３  上蓋
１２３１、２２３１、３２３１、４２３１、５２３１、６２３１  開孔部
４２１１、５２１１、６２１１  支柱
４２１１１、５２１１１、６２１１１  下向きアーチ状溝
４２２、５２２、６２２  ローラー
４２２１、５２２１、６２２１  ローラー軸
４２３２、５２３２、６２３２  上向きアーチ状溝
【図１】
0003219074.tif 000003
【図２】
0003219074.tif 000004
【図３】
0003219074.tif 000005
【図４】
0003219074.tif 000006
【図５】
0003219074.tif 000007
【図６】
0003219074.tif 000008
【図７】
0003219074.tif 000009
【図８】
0003219074.tif 000010
【図９】
0003219074.tif 000011
【図１０】
0003219074.tif 000012
【図１１】
0003219074.tif 000013
【図１２】
0003219074.tif 000014
【図１３】
0003219074.tif 000015
【図１４】
0003219074.tif 000016
【図１５】
0003219074.tif 000017
【図１６】
0003219074.tif 000018
【図１７】
0003219074.tif 000019
【図１８】
0003219074.tif 000020